(57)【特許請求の範囲】
【請求項１】
収納ケースと、
前記収納ケースの内部から進退可能なベースと、前記ベースに対して横倒れ可能にヒンジ結合されたテーブル本体と、支持スライダと、はすかい部材と、を有するテーブルと、から構成されており、
前記収納ケースの内部に前記テーブルの前記テーブル本体を収納した収納状態と、
前記収納状態にある前記テーブルの前記テーブル本体を前記収納ケースの内部から進出させた立起状態と、
前記立起状態にある前記テーブルの前記テーブル本体を前記ベースに対してヒンジの軸回りに横倒れさせた使用可能状態と、に切り替え可能となっており、
前記立起状態にあるとき、前記ベースに対して前記ヒンジの軸回りに前記テーブル本体が横倒れすることを防止するロック機構が備えられており、
前記立起状態にある前記テーブルの前記テーブル本体を前記ベースに対してヒンジの軸回りに横倒れさせて前記使用可能状態に切り替えると、前記横倒れする前記テーブル本体によって前記ベースに対して支持スライダが下降されると共に、前記下降された前記支持スライダと前記横倒れする前記テーブル本体との間を前記はすかい部材が橋渡す乗物用シートのテーブル装置。
【請求項２】
請求項１に記載の乗物用シートのテーブル装置であって、
前記ロック機構は、係合爪を有し前記ベースに設けられた係合部と、前記係合爪に係合可能に被係合爪を有し前記テーブル本体に設けられた被係合部と、から構成されており、
前記係合部および／または前記被係合部は、撓み可能となっており、
前記係合爪と前記被係合爪とが係合すると、前記ベースに対してヒンジの軸回りに前記テーブル本体の横倒れが防止された前記ロック機構のロック状態となり、
前記係合部および／または前記被係合部を撓ませて前記係合爪と前記被係合爪との係合を解消させると、前記ベースに対してヒンジの軸回りに前記テーブル本体の横倒れの防止を解消させた前記ロック機構のロック解除状態となる乗物用シートのテーブル装置。
【請求項３】
請求項１〜２のいずれかに記載の乗物用シートのテーブル装置であって、
前記テーブル本体は、前記ベースに対して横倒れ可能にヒンジ結合されているアームと、前記アームに対して乗物用シートの着座者に対して対向する方向にスライド可能なトレイと、から構成されている乗物用シートのテーブル装置。
【発明の詳細な説明】
【技術分野】
【０００１】
本発明は、乗物用シートのテーブル装置に関し、詳しくは、収納ケースの内部からテーブル本体を進出させて使用する乗物用シートのテーブル装置に関する。
【背景技術】
【０００２】
従来、この種の乗物用シートのテーブル装置として、例えば、特許文献１に開示されている技術が既に知られている（図１３参照）。この技術では、乗物用シートのテーブル装置１０６は、シートクッション１０２に組み付けられた収納ケース１１０と、収納ケース１１０の内部から進退可能なベース１６０と、ベース１６０に対して横倒れ可能にヒンジｐ２結合されたテーブル本体１７０とを有するテーブル１５０とから構成されている。そして、このテーブル装置１０６は、収納ケース１１０の内部にテーブル１５０のテーブル本体１７０を収納した収納状態と、収納状態にあるテーブル１５０のテーブル本体１７０を収納ケース１１０の内部から立ち起こしさせた（進出させた）立起状態と、立起状態にあるテーブル１５０のテーブル本体１７０をベース１６０に対してヒンジｐ２の軸回りに横倒れさせた使用可能状態とに切り替え可能となっている。これにより、テーブル１５０のテーブル本体１７０を使用しないとき、このテーブル本体１７０が着座者（乗物用シートの乗員）にとって邪魔になることなく見栄えよく収納できる。
【先行技術文献】
【特許文献】
【０００３】
【特許文献１】実開平５−５８４５５号公報
【発明の概要】
【発明が解決しようとする課題】
【０００４】
しかしながら、上述した特許文献１の技術では、図１３の実線に示すように、テーブル装置１０６が立起状態にあるとき、テーブル本体１７０に対して横倒れ方向に小さな操作荷重が作用してしまうと（例えば、着座者が無意識にテーブル本体１７０を触れてしまうと）、この操作荷重をトリガー（起点）として、ベース１６０に対してヒンジｐ２の軸回りにテーブル本体１７０が自重で横倒れしてしまうことがあった。そのため、着座者が意図することなく（着座者の意に反して）、テーブル装置１０６が立起状態から使用可能状態（図１３において、想像線で示す状態）に切り替わってしまうことがあった。
【０００５】
本発明は、このような課題を解決しようとするもので、その目的は、着座者が意図することなく、立起状態から使用可能状態に切り替わってしまうことを防止できるテーブル装置を提供することである。
【課題を解決するための手段】
【０００６】
本発明は、上記の目的を達成するためのものであって、以下のように構成されている。請求項１に記載の発明は、収納ケースと、前記収納ケースの内部から進退可能なベースと、ベースに対して横倒れ可能にヒンジ結合されたテーブル本体と、支持スライダと、はすかい部材と、を有するテーブルとから構成されている。そして、乗物用シートのテーブル装置は、収納ケースの内部にテーブルのテーブル本体を収納した収納状態と、収納状態にあるテーブルのテーブル本体を収納ケースの内部から進出させた立起状態と、立起状態にあるテーブルのテーブル本体をベースに対してヒンジの軸回りに横倒れさせた使用可能状態とに切り替え可能となっている。このテーブル装置には、このテーブル装置が立起状態にあるとき、ベースに対してヒンジの軸回りにテーブル本体が横倒れすることを防止するロック機構が備えられている。また、このテーブル装置は、立起状態にあるテーブルのテーブル本体をベースに対してヒンジの軸回りに横倒れさせて使用可能状態に切り替えると、横倒れするテーブル本体によってベースに対して支持スライダが下降されると共に、下降された支持スライダと横倒れするテーブル本体との間をはすかい部材が橋渡すように構成されている。
【０００７】
請求項１の発明によれば、テーブル装置が立起状態にあるとき、テーブル本体に対して横倒れ方向に小さな操作荷重が作用してしまっても（例えば、着座者が無意識にテーブル本体を触れてしまっても）、ロック機構のロックにより、ベースに対してヒンジの軸回りにテーブル本体が自重で横倒れしてしまうことがない。したがって、着座者が意図することなく（着座者の意に反して）、テーブル装置が立起状態から使用可能状態に切り替わってしまうことを防止できる。もちろん、着座者がテーブル装置の立起状態から使用可能状態への切り替えを希望するときには（着座者が意図するときには）、このロック機構のロックを解消させ、ベースに対してヒンジの軸回りにテーブル本体を横倒れさせることができる。すなわち、テーブル装置を立起状態から使用可能状態に切り替えることができる。
【０００８】
また、請求項２に記載の発明は、請求項１に記載の乗物用シートのテーブル装置であって、ロック機構は、係合爪を有しベースに設けられた係合部と、係合爪に係合可能に被係合爪を有しテーブル本体に設けられた被係合部とから構成されている。そして、係合部および／または被係合部は、撓み可能となっている。この係合爪と被係合爪とが係合すると、ベースに対してテーブル本体の横倒れが防止されたロック機構のロック状態となる。また、係合部および／または被係合部を撓ませて係合爪と被係合爪との係合を解消させると、ベースに対してテーブル本体の横倒れの防止を解消させたロック機構のロック解除状態となる。
【０００９】
請求項２の発明によれば、着座者がテーブル装置の立起状態から使用可能状態への切り替えを希望するときには、テーブル本体に対して横倒れ方向に大きな操作荷重を作用させると（例えば、着座者が意識してテーブル本体を押し倒すと）、これら係合爪と被係合爪との係合を解消させることができる。したがって、この係合の解消からテーブル本体の横倒れ（テーブル装置を立起状態から使用可能状態に切り替え）を一連の動作で実施できる。
【００１０】
また、請求項３に記載の発明は、請求項１〜２のいずれかに記載の乗物用シートのテーブル装置であって、テーブル本体は、ベースに対して横倒れ可能にヒンジ結合されているアームと、アームに対して乗物用シートの着座者に対して対向する方向にスライド可能なトレイとから構成されている。
【００１１】
請求項３の発明によれば、アームに対してトレイを着座者に対して対向する方向にスライドさせることができる。したがって、着座者からトレイを遠ざけることができるため、この着座者とトレイの載置面に載せる物品との距離を適度に確保できる。結果として、使用可能状態におけるテーブル装置の利便性を高めることができる。
【図面の簡単な説明】
【００１２】
【図１】本発明の実施例に係るセカンドシートを前方から見た斜視図であり、テーブル装置が収納状態にあるときを示している。
【図２】図１を後方から見た斜視図である。
【図３】図２の左のアームレストの拡大図である。
【図４】図３の分解図である。
【図５】図４のテーブル体の拡大図である。
【図６】図５の分解図である。
【図７】図６のテーブルの拡大図である。
【図８】図７の分解図である。
【図９】図７の主要部の縦断面図である。
【図１０】図２に示す状態から、テーブル装置を立起状態に切り替えた状態を示している。
【図１１】図１０に示す状態から、テーブル装置を使用可能状態に切り替えた状態を示している。
【図１２】図１１に示す状態から、テーブル本体のトレイを前方にスライドさせた状態を示している。
【図１３】従来技術に係る乗物用シートの側面図であり、テーブル装置が立起状態にあるときを示している。
【発明を実施するための形態】
【００１３】
以下、本発明を実施するための形態を、図１〜１２を用いて説明する。なお、以下の説明にあたって、『乗物用シート』の例として、『３列シートを有するミニバン（図示しない）の右側のセカンドシート１（以下、単に、「セカンドシート１」と記す）』を説明することとする。また、以下の説明にあたって、上、下、前、後、左、右とは、上述した図に記載した、上、下、前、後、左、右の方向、すなわち、ミニバンの内部にセカンドシート１を配置した状態を基準にしたときの上、下、前、後、左、右の方向を示している。
【００１４】
まず、図１〜２を参照して、セカンドシート１の構成を説明する。このセカンドシート１は、１人掛けの独立タイプのものであり、主として、オットマン２ａを有するシートクッション２と、ヘッドレスト３ａを有するシートバック３とから構成されている。このシートクッション２の左側には、肘掛けクッション４ａを有するアームレスト４（左のアームレスト４）が組み付けられている。これと同様に、このシートクッション２の右側にも、肘掛けクッション５ａを有するアームレスト５（右のアームレスト５）が組み付けられている。
【００１５】
また、このシートクッション２の左側には、テーブル装置６が組み付けられている。ここで、このテーブル装置６について詳述する。このテーブル装置６は、収納ケース１０と、テーブル体３０とに大別され構成されている（図３〜４参照）。以下に、これら収納ケース１０と、テーブル体３０とを個別に説明していく。
【００１６】
はじめに、収納ケース１０から説明していく。この収納ケース１０は、図１〜３からも明らかなように、上述した左のアームレスト４を兼ねており、内カバー１２と、外カバー１４と、前カバー１６と、後カバー１８と、上カバー２０とから構成されている（図４参照）。これら各カバー１２、１４、１６、１８、２０は、剛性を有する合成樹脂からなる樹脂部材から構成されている。
【００１７】
これら内カバー１２と、外カバー１４と、前カバー１６と、後カバー１８と、上カバー２０とは、互いの適宜の箇所がビスや係合爪（いずれも図示しない）によって中空状を成すように締結されている。この内カバー１２の上側には、テーブル装置６を立起状態から使用可能状態に切り替えたとき、後述するベース６０とテーブル本体７０とを橋渡すように張り出すはすかい部材９０が内カバー１２に干渉することを防止する切欠１２ａが形成されている（図４参照）。
【００１８】
この切欠１２ａは、テーブル装置６が収納状態や立起状態にあるとき、リンク機構（図示しない）を介して内カバー１２に組み付けられた目隠しカバー１２ｂによって塞がれている。これにより、この切欠１２ａを目隠しカバー１２ｂが塞ぐため、この内カバー１２の見栄えの悪化を防止できる。
【００１９】
もちろん、テーブル装置６が使用可能状態にあるとき、張り出したはすかい部材９０がリンク機構を介して目隠しカバー１２ｂを押し倒すこととなる。そのため、このはすかい部材９０の張り出しを目隠しカバー１２ｂが邪魔することはない。なお、テーブル装置６を使用可能状態から立起状態に切り替えると、押し倒された目隠しカバー１２ｂは、リンク機構に組み付けられているトーションばね（図示しない）の付勢力によって押し倒される前の状態に戻される。
【００２０】
また、この上カバー２０には、スリット２０ａと切欠２０ｂと小物入２０ｃとが形成されている（図１０参照）。また、この上カバー２０には、上述した肘掛けクッション４ａがヒンジピン（図示しない）を介して組み付けられている。そのため、肘掛けクッション４ａを開閉できる。したがって、テーブル装置６や小物入２０ｃを使用したりするとき、肘掛けクッション４ａを開けることができる。
【００２１】
なお、この肘掛けクッション４ａは、図１０から明らかなように、これらスリット２０ａ、切欠２０ｂ、小物入２０ｃを覆うことができる大きさに形成されている。このスリット２０ａは、収納ケース１０の内部から後述するテーブル体３０のテーブル５０のテーブル本体７０を上方に引き出したり（上昇させたり）、引き出したテーブル本体７０を収納ケース１０の内部に押し戻す（下降させる）ためのものである。
【００２２】
一方、この切欠２０ｂは、後述するテーブル体３０のテーブル５０のベース６０に対してピンＰ２、Ｐ２の軸回りに横倒れさせたテーブル本体７０のアーム７２を上カバー２０に対して面一にするためのものである。この肘掛けクッション４ａを開けると、このスリット２０ａから後述するテーブル本体７０を上方に引き出したり収納ケース１０の内部に押し戻したりできると共に、小物入２０ｃを使用できる。また、この肘掛けクッション４ａを閉めると、スリット２０ａ、切欠２０ｂ、小物入２０ｃを目隠しできる。収納ケース１０は、このように構成されている。
【００２３】
次に、テーブル体３０を説明する。このテーブル体３０は、ベースフレーム４０と、テーブル５０とから構成されている（図５〜６参照）。このベースフレーム４０は、収納ケース１０の骨格を成すものであり、収納ケース１０の内カバー１２の内面に締結されている。このベースフレーム４０により、肘掛けクッション４ａが着座者の肘から大きな荷重を受けたときでも、アームレスト４が耐え得ることができる。
【００２４】
このベースフレーム４０には、後述するテーブル５０を上方に引き出したり収納ケース１０の内部に押し戻したりするためのスライドレール４２が組み付けられている。また、このベースフレーム４０には、コンストンスプリング４８ａの付勢力によって後述するテーブル５０が上方に引き出されることを防止する係合爪４６が進退可能に組み付けられている。このコンストンスプリング４８ａは、その外端がベースフレーム４０に対して固着され、その内端がベースフレーム４０に枢着されたピン４８ｂに対して固着されるようにベースフレーム４０に組み付けられている。
【００２５】
このピン４８ｂと、後述するスライダ４４とには、２個の滑車４８ｃ、４８ｄを介してワイヤー４８ｅが掛け渡されている。なお、このコンストンスプリング４８ａは、常時、このワイヤー４８ｅを巻き取るように設定されている。また、このベースフレーム４０には、後述するテーブル５０が上方に引き出されたときの上限の位置を規制するストッパ４８が形成されている。ベースフレーム４０は、このように構成されている。
【００２６】
一方、テーブル５０は、ベース６０と、テーブル本体７０と、支持スライダ８０と、はすかい部材９０とから構成されている（図７〜９参照）。ベース６０は、ベースフレーム４０に対してテーブル５０を昇降させるための部材である。そのため、このベース６０には、ベースフレーム４０のスライドレール４２にスライド可能なスライダ４４が固着されている。また、このベース６０の下側には、後述する支持スライダ８０に組み付けられているダンパ８２、８２の先端部８２ｂ、８２ｂを固着させるための張出部６０ａが形成されている。
【００２７】
また、このベース６０の上側には、前後に対を成す挿込孔６０ｂ、６０ｂが形成されている。この挿込孔６０ｂ、６０ｂは、ピンＰ２、Ｐ２を挿し込み可能に形成されている。また、このベース６０の裏側（右側）には、上述したストッパ４８に接触可能な突起６０ｃが形成されている。また、このベース６０には、後述する支持スライダ８０を上下にスライドさせるためのガイド６２、６２が形成されている。また、このベース６０の左右には、長孔６４、６４が形成されている。この長孔６４、６４は、ピンＰ１を挿し込み可能に形成されている。また、このベース６０には、ダンパ６６、６６が組み付けられている。
【００２８】
このダンパ６６のロッド６６ａの先端部６６ｂは、上述したベースフレーム４０の底面４０ａを押し当て可能となっている。これにより、テーブル装置６を立起状態から収納状態に切り替えるとき、このダンパ６６、６６がクッションを成すため、テーブル５０が収納ケース１０の内部に勢いよく押し戻されることを防止できる。また、このベース６０の先端側（上側）には、先端に係合爪６８ａを有する略Ｊ字状の係合部６８のベース６８ｂがビスＢ１によって組み付けられている（図９参照）。この係合部６８は、撓み可能に形成されている。ベース６０は、このように構成されている。
【００２９】
また、テーブル本体７０は、アーム７２とトレイ７４とから構成されている。アーム７２は、ベースアーム７２ａと、このベースアーム７２ａに対してピンＰ４を介して固着されるカバー７２ｂとから構成されている（図８参照）。これらベースアーム７２ａとカバー７２ｂとは、アーム７２に対して半割構造となるように形成されている。このベースアーム７２ａには、後述するトレイ７４を前後にスライドさせるためのスライダ７２ｄが組み付けられている。
【００３０】
また、このベースアーム７２ａの下側には、先端に被係合爪７６ａを有する被係合部７６がビスＢ２によって組み付けられている。これら係合部６８と被係合部７６とが、特許請求の範囲に記載の「ロック機構」に相当する。この被係合部７６の被係合爪７６ａと上述した係合部６８の係合爪６８ａとは、係合可能となっている。
【００３１】
また、このベースアーム７２ａの下側には、前後に対を成す挿込孔７２ｆ、７２ｆが形成されている。この挿込孔７２ｆ、７２ｆは、ピンＰ２、Ｐ２を挿し込み可能に形成されている。また、このベースアーム７２ａの上下方向の中央側には、前後に対を成す挿込孔７２ｇ、７２ｇが形成されている。この挿込孔７２ｇ、７２ｇは、ピンＰ３、Ｐ３を挿し込み可能に形成されている。アーム７２は、このように構成されている。
【００３２】
また、トレイ７４は、物品（図示しない）を載せることができる載置面７４ａを有するプレート状の部材から構成されている。このトレイ７４の載置面７４ａの裏面には、スライダ７２ｄに対してスライド可能なスライドレール（図示しない）が前後方向（着座者に対して対向する方向）に沿って組み付けられている。これにより、ベースアーム７２ａに対してトレイ７４を前後にスライドさせることができる。
【００３３】
また、トレイ７４には、ノブ７４ｂが組み付けられている。このノブ７４ｂを操作すると、ベースフレーム４０の係合爪４６を退行させることができる。これにより、ベースフレーム４０に対するテーブル５０の係合が解消されるため、コンストンスプリング４８ａの付勢力によってワイヤー４８ｅを巻き取ることができるためテーブル５０を引き出すことができる。トレイ７４は、このように構成されている。テーブル本体７０は、このように構成されている。
【００３４】
また、支持スライダ８０と、はすかい部材９０とは、テーブル装置６の使用可能状態（テーブル本体７０をベース６０に対してピンＰ２、Ｐ２の軸回りに横倒れさせた状態）を強固に保持するための部材である。この支持スライダ８０の上側には、前後に対を成す挿込孔８０ａ、８０ａが形成されている。この挿込孔８０ａ、８０ａは、ピンＰ１を挿し込み可能に形成されている。
【００３５】
また、この支持スライダ８０には、ダンパ８２、８２が組み付けられている。このダンパ８２のロッド８２ａの先端部８２ｂは、上述したベース６０の張出部６０ａに固着されている。これにより、テーブル装置６を立起状態から使用可能状態に切り替えるとき、このダンパ８２、８２がクッションを成すため、ベース６０に対してテーブル本体７０を滑らかに横倒しできる。
【００３６】
また、このはすかい部材９０の下側には、前後に対を成す挿込孔９０ａ、９０ａが形成されている。この挿込孔９０ａ、９０ａは、ピンＰ１を挿し込み可能に形成されている。また、このはすかい部材９０の上側には、前後に対を成す挿込孔９０ｂ、９０ｂが形成されている。この挿込孔９０ｂ、９０ｂは、ピンＰ３、Ｐ３を挿し込み可能に形成されている。
【００３７】
ここで、これらベース６０と、テーブル本体７０と、支持スライダ８０と、はすかい部材９０との組み付けの構造を説明する。ベース６０と支持スライダ８０とはすかい部材９０とは、その長孔６４、６４と挿込孔８０ａ、８０ａと挿込孔９０ａ、９０ａとにピンＰ１が挿し込まれることで組み付けられている。また、ベース６０とテーブル本体７０とは、その挿込孔６０ｂ、６０ｂと挿込孔７２ｆ、７２ｆとにピンＰ２、Ｐ２が挿し込まれることで組み付けられている。
【００３８】
また、テーブル本体７０とはすかい部材９０とは、その挿込孔７２ｇ、７２ｇと挿込孔９０ｂ、９０ｂとにピンＰ３、Ｐ３が挿し込まれることで組み付けられている。これらの組み付けにより、テーブル本体７０をベース６０に対してピンＰ２、Ｐ２の軸回りに横倒れさせることができる（使用可能状態に切り替えることができる）と共に、この横倒れの状態を強固に保持できる。テーブル５０は、このように構成されている。
【００３９】
これらベースフレーム４０とテーブル５０とからテーブル体３０は構成されている。なお、このテーブル５０は、既に説明したスライドレール４２とスライダ４４とを介してベースフレーム４０に対して上下にスライド可能に組み付けられている。このとき、ベースフレーム４０には、組み付けたテーブル５０がベースフレーム４０から脱落することがないように、ビスＢを介して上下にカバー４０ｂ、４０ｃが組み付けられている（図６参照）。これら上述した収納ケース１０とテーブル体３０とからテーブル装置６は構成されている。
【００４０】
なお、このテーブル装置６は、収納状態（図２に示す状態）と立起状態（図１０に示す状態）と使用可能状態（図１１に示す状態）とに切り替え可能となっている。このテーブル装置６の収納状態とは、収納ケース１０の内部にテーブル５０のテーブル本体７０を収納した状態のことである。また、テーブル装置６の立起状態とは、収納状態にあるテーブル５０のテーブル本体７０を収納ケース１０の内部から上方に引き出した（進出させた）状態のことである。また、テーブル装置６の使用可能状態とは、立起状態にあるテーブル５０のテーブル本体７０をベース６０に対してピンＰ２、Ｐ２の軸回りに横倒れさせた状態のことである。
【００４１】
続いて、上述したテーブル装置６の作用を説明する。この説明にあたって、テーブル装置６を収納状態から使用可能状態に切り替える手順と、テーブル装置６を使用可能状態から収納状態に切り替える（戻す）手順とを個別に説明していく。
【００４２】
まず、テーブル装置６を収納状態（図２に示す状態）から使用可能状態（図１１に示す状態）に切り替える手順から説明する。はじめに、図２に示す状態から、アームレスト４の肘掛けクッション４ａを開ける作業を行う。次に、テーブル本体７０のノブ７４ｂを操作する作業を行う。すると、ベースフレーム４０に対するテーブル５０の係合が解消されるため、コンストンスプリング４８ａの付勢力によってワイヤー４８ｅを巻き取ることができるためベースフレーム４０に対してテーブル５０が上昇していく。
【００４３】
この上昇は、ベースフレーム４０のストッパ４８によって規制されるまで行われる。これにより、テーブル装置６を収納状態（図２に示す状態）から立起状態（図１０に示す状態）に切り替えることができる。なお、テーブル装置６が収納状態や立起状態にあるとき、ベース６０の係合部６８の係合爪６８ａとテーブル本体７０の被係合部７６の被係合爪７６ａとは係合した状態となっている（図９参照）。この記載が、特許請求の範囲に記載の「ロック機構のロック状態」に相当する。また、この係合が解消すると、「ロック機構のロック解除状態」に相当する。
【００４４】
最後に、ベース６０に対してテーブル本体７０をピンＰ２、Ｐ２の軸回りに横倒れさせる作業を行う。この横倒れさせる操作荷重は、ベース６０の係合部６８を撓ませることができる程度の大きなものである。これにより、このベース６０の係合部６８が撓むため、これら係合爪６８ａと被係合爪７６ａとの係合した状態が解消される。そのため、このベース６０に対してテーブル本体７０をピンＰ２、Ｐ２の軸回りに横倒れさせることができる。
【００４５】
このようにして、テーブル装置６を立起状態（図１０に示す状態）から使用可能状態（図１１に示す状態）に切り替えることができる。なお、使用可能状態に切り替えたテーブル装置６のトレイ７４をアーム７２に対して前側にスライドさせることもできる（図１２参照）。
【００４６】
続いて、テーブル装置６を使用可能状態（図１１に示す状態）から収納状態（図２に示す状態）に切り替える（戻す）手順を説明する。はじめに、ベース６０に対してテーブル本体７０をピンＰ２、Ｐ２の軸回りに引き起こす作業を行う。すると、被係合爪７６ａが係合部６８を撓ませながら係合爪６８ａを乗り越えていく。この乗り越えが完了すると、係合部６８の撓みも解消するため、これら係合爪６８ａと被係合爪７６ａとが係合した状態に戻される。
【００４７】
これにより、テーブル装置６を使用可能状態（図１１に示す状態）から立起状態（図１０に示す状態）に切り替える（戻す）ことができる。次に、コンストンスプリング４８ａの付勢力に抗してテーブル本体７０を収納ケース１０の内部に押し戻す作業を行う。すると、押し戻したテーブル本体７０のテーブル５０がベースフレーム４０の係合爪４６に係合した状態に戻される。最後に、アームレスト４の肘掛けクッション４ａを閉じる作業を行う。このようにして、テーブル装置６を立起状態（図１０に示す状態）から収納状態（図２に示す状態）に切り替える（戻す）ことができる。
【００４８】
本発明の実施例に係るセカンドシート１のテーブル装置６は、上述したように構成されている。この構成によれば、テーブル装置６はロック機構６８、７６を備えている。そして、テーブル装置６が立起状態にあるとき、このロック機構６８、７６により、ベース６０とテーブル本体７０とは係合した状態（ロック状態）となっている。そのため、テーブル装置６が立起状態にあるとき、テーブル本体７０に対して横倒れ方向に小さな操作荷重が作用してしまっても（例えば、着座者が無意識にテーブル本体７０を触れてしまっても）、この係合により、ベース６０に対してピンＰ２、Ｐ２の軸回りにテーブル本体７０が自重で横倒れしてしまうことがない。したがって、着座者が意図することなく（着座者の意に反して）、テーブル装置６が立起状態（図１０に示す状態）から使用可能状態（図１１に示す状態）に切り替わってしまうことを防止できる。
【００４９】
もちろん、着座者がテーブル装置６の立起状態から使用可能状態への切り替えを希望するときには（着座者が意図するときには）、この係合を解消させ（ロック解除状態に切り替え）、ベース６０に対してピンＰ２、Ｐ２の軸回りにテーブル本体７０を横倒れさせることができる。すなわち、テーブル装置６を立起状態から使用可能状態に切り替えることができる。
【００５０】
また、この構成によれば、ロック機構６８、７６は、先端に係合爪６８ａを有する略Ｊ字状の係合部６８と、先端に被係合爪７６ａを有する被係合部７６とから構成されている。この係合部６８の係合爪６８ａと被係合部７６の被係合爪７６ａとは、係合可能となっている。また、この係合部６８は、撓み可能に形成されている。そのため、着座者がテーブル装置６の立起状態から使用可能状態への切り替えを希望するときには、テーブル本体７０に対して横倒れ方向に大きな操作荷重を作用させると（例えば、着座者が意識してテーブル本体７０を押し倒すと）、これら係合爪６８ａと被係合爪７６ａとの係合を解消させることができる。したがって、この係合の解消からテーブル本体７０の横倒れ（テーブル装置６を立起状態から使用可能状態に切り替え）を一連の動作で実施できる。
【００５１】
また、この構成によれば、テーブル本体７０は、アーム７２とトレイ７４とから構成されている。このアーム７２には、トレイ７４を前後にスライドさせるためのスライダ７２ｄが組み付けられている。このトレイ７４の裏面には、スライダ７２ｄに対してスライド可能なスライドレール（図示しない）が前後方向（着座者に対して対向する方向）に沿って組み付けられている。そのため、アーム７２に対してトレイ７４を前後にスライドさせることができる。したがって、着座者からトレイ７４を遠ざけることができるため、この着座者とトレイ７４の載置面７４ａに載せる物品との距離を適度に確保できる。結果として、使用可能状態におけるテーブル装置６の利便性を高めることができる。
【００５２】
上述した内容は、あくまでも本発明の一実施の形態に関するものであって、本発明が上記内容に限定されることを意味するものではない。
実施例では、『乗物用シート』の例として、『セカンドシート１』を説明した。しかし、これに限定されるものでなく、『乗物用シート』は、各種の乗物のシート、例えば、『船舶のシート』、『飛行機のシート』、『鉄道車両のシート』等であっても構わない。
【００５３】
また、実施例では、係合部６８が撓む形態を説明した。しかし、これに限定されるものでなく、被係合部７６が撓む形態でも構わない。もちろん、これら係合部６８と被係合部７６とが撓む形態でも構わない。
【符号の説明】
【００５４】
１      セカンドシート（乗物用シート）
６      テーブル装置
１０    収納ケース
５０    テーブル
６０    ベース
６８    係合部（ロック機構）
７０    テーブル本体
７６    被係合部（ロック機構）
Ｐ２    ピン
【図１】
0006387839.tif 000002
【図２】
0006387839.tif 000003
【図３】
0006387839.tif 000004
【図４】
0006387839.tif 000005
【図５】
0006387839.tif 000006
【図６】
0006387839.tif 000007
【図７】
0006387839.tif 000008
【図８】
0006387839.tif 000009
【図９】
0006387839.tif 000010
【図１０】
0006387839.tif 000011
【図１１】
0006387839.tif 000012
【図１２】
0006387839.tif 000013
【図１３】
0006387839.tif 000014